(57)【要約】      （修正有）【課題】より簡便に、間欠地絡が発生しているフィーダ線を特定可能な地絡検出方法を提供する。【解決手段】母線１に複数のフィーダ線２，３，４が接続されると共に、各フィーダ線２，３，４に対し零相変流器ＺＣＴが設けられた配電系統での地絡検出方法であって、上記零相変流器ＺＣＴの２次側端子電圧を測定し、その測定した端子電圧に基づき地絡が発生しているフィーダ線２を検出する。また、上記零相変流器ＺＣＴの２次側電流で作動する継電器ＤＧを有し、上記継電器ＤＧが非作動状態の場合に、上記２次側端子電圧に基づき地絡の発生しているフィーダ線の検出を行う。【選択図】図１
2013113632.tif 000002
【特許請求の範囲】
【請求項１】
母線に複数のフィーダ線が接続されると共に、各フィーダ線に対し零相変流器が設けられた配電系統での地絡検出方法であって、
上記零相変流器の２次側端子電圧を測定し、その測定した端子電圧に基づき地絡が発生しているフィーダ線を検出することを特徴とする地絡検出方法。
【請求項２】
上記零相変流器の２次側電流で作動する継電器を有し、母線の零相電圧から地絡発生を判定し、各零相変流器で検出される零相電流による継電器の作動で地絡が発生しているフィーダ線を検出する地絡検出方法において、
上記継電器が非作動状態の場合に、上記端子電圧に基づき地絡の発生しているフィーダ線の検出を行うことを特徴とする請求項１に記載した地絡検出方法。
【請求項３】
上記零相変流器の２次側電流が入力される継電器を有し、
上記零相変流器の２次側端子電圧の測定は、上記継電器のインピーダンスを利用して検出することを特徴とする請求項１又は請求項２に記載した地絡検出方法。
【発明の詳細な説明】
【技術分野】
【０００１】
本発明は、複数のフィーダ線から地絡が発生したフィーダ線を検出する地絡検出の技術に関する。
【背景技術】
【０００２】
給電の配電系統では、１つの母線に対し複数のフィーダ線が分岐接続すると共に、配電系統を保護するための保護回路が組み込まれている。その保護回路は、地絡の発生を検出すると、地絡を検出したフィーダ線の交流遮断器ＣＢを遮断状態に変更して配電系統を保護する。
上記保護回路は、母線電圧から地絡故障による零相電圧の上昇を検出する地絡過電圧継電器（０ＶＧ）と、各フィーダ線に設けられた零相変流器（ＺＣＴ）と、零相変流器からの電流に基づき地絡故障による各フィーダ線零相電流の方向から地絡したフィーダ線（以下地絡フィーダとも呼ぶ）を特定する地絡方向継電器（ＤＧ）と、を備える。
【０００３】
上記地絡が発生したフィーダ線を特定して配電系統を保護する方法としては、例えば特許文献１に記載の技術がある。この従来技術では、地絡過電圧継電器が地絡故障による零相電圧上昇を検出し、更に、地絡方向継電器の検出に基づき地絡故障による各フィーダ線零相電流の方向から地絡したフィーダ線を検出するという、２つの条件のアンド条件によって地絡フィーダを特定し、特定した地絡フィーダを遮断することで、配電系統を保護する。
【先行技術文献】
【特許文献】
【０００４】
【特許文献１】特開平６−７０４４８号公報
【発明の概要】
【発明が解決しようとする課題】
【０００５】
しかし、上述のような給電の配電系統においては、完全地絡に陥る前段階の微小な間欠地絡の状態では、零相電圧上昇を地絡過電圧継電器（０ＶＧ）が検出しても、各地絡方向継電器（ＤＧ）が動作しない場合が多い。このような場合、「どのフィーダ線が地絡しているのか」は特定できない。
現状では、この微小な間欠地絡が発生しているフィーダ線を特定する場合には、完全地絡が発生する前に各フィーダ線を一時的に停電させて各フィーダ線の精密調査を実行する必要があった。または、完全地絡に達するまで待ち、ＤＧ動作（＝遮断器トリップ）を侍って地絡点を確認していた。
【０００６】
しかしこのような方法では、健全設備の長時間停電を招いたり、遮断器トリップによって設備が突然停電することで設備破損を引き起こすおそれがあったりするなどの問題があった。
本発明は、上記のような点に着目してなされたもので、より簡便に、間欠地絡が発生しているフィーダ線を特定可能な地絡検出技術を提供することを目的としている。
【課題を解決するための手段】
【０００７】
上記課題を解決するために、本発明のうち請求項１に記載した発明は、母線に複数のフィーダ線が接続されると共に、各フィーダ線に対し零相変流器が設けられた配電系統での地絡検出方法であって、上記零相変流器の２次側端子電圧を測定し、その測定した端子電圧に基づき地絡が発生しているフィーダ線を検出することを特徴とする。
次に、請求項２に記載した発明は、請求項１に記載した構成に対し、上記零相変流器の２次側電流で作動する継電器を有し、母線の零相電圧から地絡発生を判定し、各零相変流器で検出される零相電流による継電器の作動で地絡が発生しているフィーダ線を検出する地絡検出方法において、
上記継電器が非作動状態の場合に、上記端子電圧に基づき地絡の発生しているフィーダ線の検出を行うことを特徴とする。
【０００８】
次に、請求項３に記載した発明は、請求項１又は請求項２に記載した構成に対し、上記零相変流器の２次側電流が入力される継電器を有し、
上記零相変流器の２次側端子電圧の測定は、上記継電器のインピーダンスを利用して検出することを特徴とする。
【発明の効果】
【０００９】
本発明によれば、地絡過電圧継電器と地絡方向継電器の両方の条件を満足することで配電線路の地絡故障除去を行う配電系統であっても、地絡方向継電器が動作に至らない微小な地絡故障が発生したフィーダ線を、簡便に検出することが可能となる。
【図面の簡単な説明】
【００１０】
【図１】本発明に基づく実施形態に係る配電系統の一例を示す図である。
【図２】地絡発生時の電流の流れを説明する図である。
【図３】人工的に特定のフィーダ線で地絡を起こした場合の電圧の状態を示す図である。
【発明を実施するための形態】
【００１１】
次に、本発明の実施形態について図面を参照して説明する。
図１は、本実施形態の配電系統の一例を示す図である。
この実施形態の配電系統は、図１に示すように、一つの母線１に対して３つのフィーダ線２，３，４が分岐していると共に、当該母線１に接地変圧器ＧＰＴが接続されている場合の例である。
各フィーダ線２，３，４にはそれぞれ、交流遮断器ＣＢと零相変流器ＺＣＴとが直列に設けられている。符号ＤＧは地絡方向継電器である。
交流遮断器ＣＢは、対応するフィーダ線２，３，４を母線１から切り離す遮断機能を有する。
【００１２】
零相変流器ＺＣＴは、一次側巻線を三相導体としたもので、常時あるいは短絡故障時には各相電流のベクトル和はゼロであるので、２次側に電流は流れない。一方、いずれかのフィーダ線２で地絡が発生すると、各零相変流器ＺＣＴの一次側には保護責務区間以外の場所で発生した地絡故障時にも設置箇所より負荷側の対地静電容量を通じて地絡電流の分流分が流れる。このとき、地絡が発生したフィーダ線２（地絡フィーダ）では、地絡電流はケーブルの対地静電容量を介して環流し、他のフィーダ線３，４の対地充電電流と合わせて図２のような電流の流れが一時的に形成される。このため、各フィーダの零相変流器の２次側に流れる中性点電流（零相電流）は、地絡フィーダ２とそれ以外のフィーダ線３，４とで流れる方向が逆になる。なお、図２の例は非接地系の場合であるが、接地系では地絡電流が接地点から帰る回路となる。
【００１３】
接地変圧器ＧＰＴは、配電変電所等に設けられて、結線は３次のオープンデルタの発生電圧（零相電圧）にて地絡過電圧継電器（０ＶＧ）を動作させる。なお、３次に制限抵抗を入れて中性点を安定させて対地静電容量の無い状態での完全地絡電流を決定する。本実施形態では、地絡過電圧継電器（０ＶＧ）として接地形計器用変圧器６（零相電圧計）で零相電圧を検出する。地絡過電圧継電器（０ＶＧ）を使用しても問題はない。
地絡方向継電器ＤＧは、零相変流器ＺＣＴの２次電流である零相電流と、接地形計器用変圧器６が検出する零相電圧の位相関係から地絡を有無を検出し、地絡検出の場合には対応する交流遮断器ＣＢを作動して地絡フィーダを選択遮断する。
【００１４】
更に、本実施形態では、地絡検出用の電圧測定オシロスコープ５を備える。なお、オシロスコープ５のサンプリング周波数は、例えば１０ｋＨｚ程度とする。オシロスコープ５のサンプリング周波数は、地絡方向継電器ＤＧのサンプリング周波数よりも高く設定することが好ましい。
オシロスコープ５は、接地形計器用変圧器６が検出する零相電圧を入力すると共に、各零相変流器ＺＣＴの２次側に並列に接続して各零相変流器ＺＣＴの２次側に流れる零相電流に応じた２次側端子電圧を検出する。そして、上記零相電圧及び各零相変流器ＺＣＴの２次側端子電圧を、時系列で画面に表示すると共に、その時系列データを記録装置に記憶する。
【００１５】
そして、上記オシロスコープ５が出力する表示画面及び記録装置の記録に基づき、零相電圧が相対的に急峻していることを検出すると、地絡発生と判定し、更に、その地絡検出時の各２次側端子電圧のピークの向きを比較して、位相が他の２次側端子電圧と逆相に立ち上がっている２次側端子電圧に対応するフィーダ線２を地絡フィーダとして特定する。そして、地絡フィーダと特定したフィーダ線２の交流遮断器ＣＢを遮断する。
このとき、地絡方向継電器ＤＧが動作して地絡フィーダと特定したフィーダ線２の交流遮断器ＣＢを遮断した場合には、上記零相電圧及び各零相変流器ＺＣＴの２次側端子電圧によって地絡フィーダの判定をする必要はない。
【００１６】
（作用その他）
本実施形態では、配電系統の零相電圧（母線１０ＶＧ）が検出されたが、フィーダ線２，３，４の零相電流によって地絡方向継電器ＤＧが作動しない状態で、各フィーダ線２，３，４の零相変流器ＺＣＴの２次側端子電圧を測定する。零相変流器ＺＣＴにより検出される零相電流は方向を持っており、地絡フィーダと非地絡フィーダとでは零相電流の方向が反対となる。このとき零相電流により零相変流器ＺＣＴの２次側端子に誘起される電圧の方向も、地絡／非地絡フィーダで反対となるため、この端子の電圧を測定することで、地絡発生しているフィーダ線２，３，４を特定することが出来る。
ここで、上記零相変流器ＺＣＴの２次側端子に誘起される電圧は、零相変流器ＺＣＴの２次側に流れる零相電流と地絡方向継電器ＤＧが持つインピーダンスにより誘起される。
【００１７】
また、図１において、地絡点Ｆに流れる地絡電流Ｉｆは、地絡点を含む線路から流れこむ地絡電流Ｉｎと、他の線路から流れ込む地絡電流ｌｃの和となる。そのため各線路に取り付けられたＺＣＴにより検出される零相電流は、地絡線路と非地絡線路では方向が逆になる。
ここで、零相変流器ＺＣＴで検出する零相電流は、ラジオノイズなどで変動している。このため、より精度良く零相電流を検出して微小な間欠地絡の発生を検出することを考えると、零相変流器ＺＣＴの２次側に直列に別途抵抗を割り込まして電流センサで測定する必要がある。しかしこの場合には、割り込ました抵抗のインピーダンスによって零相電流の感度が低下してしまう。また、一旦離線して割り込ませる必要があるため、対応する保護責務区間を一旦停電させる必要がある。
【００１８】
これに対し、本実施形態では、２次側端子に誘起される電圧を測定するため、離線の必要が無く、２次側端子に対して並列に接続されることから零相電流の低下を招く事がない。すなわち、本実施形態では、測定する電圧値を精度良く且つ簡便に検出することが可能となる。つまり、電圧要素で検出することにより改造の手間を省略し、零相電流の方向のみを精度良く検出することが出来る。
【００１９】
ここで、地絡フィーダを検出するため、地絡方向継電器ＤＧが動作するよりも細かい精度で各フィーダ線２，３，４零相電流の方向を検出する必要がある。このため、本実施形態では、地絡方向継電器ＤＧが動作しない微小な間欠地絡を検出するため、サンプリング周波数１０ｋＨｚ程度のオシロスコープ５を用いる。測定端子はＺＣＴ２次側に取り付けるが、安全のためＤＧ継電器近傍で測定することが望ましい。
【００２０】
以上のように、本実施形態の地絡検出方法では、設備の停電が必要なく、また高圧充電部に接近する必要も無いため、安全に、しかも地絡による零相電圧が出た瞬間にすばやく地絡フィーダを判別することが可能である。このため、従来発生していた「健全設備停電させての調査作業、および設備停電に伴う損失」、「地絡トリップ故障による設備・機会損失」を避けることが出来るほか、故障点を早期に発見することにより設備劣化を最小限にとどめることが可能である。
【００２１】
ここで、上記実施形態では、母線１の零相電圧から地絡発生を検出した場合に、零相変流器ＺＣＴの２次側端子に誘起される電圧の方向が逆になっている零相変流器ＺＣＴに対応するフィーダ線２を地絡フィーダと判定する場合を例示した。図３から分かるように、地絡フィーダの２次側端子に誘起される電圧は、他の地絡フィーダの２次側端子に誘起される電圧よりも大きいので、その２次側端子に誘起される電圧が一番大きなフィーダ線２（若しくは前後の電圧値に対する比が一番大きなフィーダ線２）を地絡フィーダと判定しても良い。
【００２２】
また、上記実施形態では、オシロスコープ５で零相電圧及び各２次端子電圧を検出し比較することで地絡フィーダの検出を行う場合を例示しているが、これに限定されない。各電圧の時系列データに基づき、地絡フィーダの検出を自動判定するようにしても良い。
例えば、検出した零相電圧及び各２次端子電圧を予め設定してサンプリング周期で取得して記憶しつつ、検出した零相電圧が予め設定した地絡検出電圧以上となっていることを検出すると、その地絡検出電圧以上となったときの当該零相電圧の立上り時刻前後で検出した、各２次端子電圧のピーク電圧を取得し、その２次端子電圧のピーク電圧の向き若しくは大きさに基づき、他の２次端子電圧とは逆相若しくは大きさが異なる電圧値の２次端子電圧に対応するフィーダを地絡フィーダと判定し、その地絡フィーダの交流遮断器ＣＢに遮断動作信号を出力する。
【符号の説明】
【００２３】
１     母線
２、３，４    フィーダ線
２     地絡フィーダ
５     オシロスコープ
６     接地形計器用変圧器
ＣＢ   交流遮断器
ＤＧ   地絡方向継電器
ＧＰＴ 接地変圧器
ＺＣＴ 零相変流器
Ｉｆ   地絡電流
Ｉｎ   地絡電流
ｌｃ   地絡電流
【図１】
2013113632.tif 000003
【図２】
2013113632.tif 000004
【図３】
2013113632.tif 000005